(57)【要約】【課題】画像読取部で読み取った定型外サイズの原稿に対する画像データを圧縮処理して格納するメモリの使用効率の向上を図りつつ、メモリから読み出した画像データの処理負荷を軽減することができる画像処理装置を提供する。【解決手段】原稿読取部３０で読み取られた画像データに所定の画像処理を施して画像記憶部４０に記憶する画像処理部５と、画像処理された画像データから出力画像データを生成する出力画像データ生成部５３とを含む画像処理システム１０と、画像処理システム１０を制御するシステム制御部９を備えている画像処理装置１で、原稿サイズが定形サイズより小さいときに、定形サイズに対して不足する画像データの副走査方向サイズまたは主走査方向サイズが判別可能なデータを画像記憶部４０に記憶するようにシステム制御部９を構成し、前記データに基づいて定形サイズの出力画像データを生成するように出力画像データ生成部５３を構成する。【選択図】図３
2010074633.tif 000002
【特許請求の範囲】
【請求項１】
原稿搬送機構により副走査方向に搬送される原稿を主走査方向に沿って読み取る画像読取部と、前記原稿読取部で読み取られた画像データを記憶する画像記憶部と、前記画像記憶部に格納された画像データを読み出して所定の画像処理を施して前記画像記憶部に記憶する画像処理部と、前記画像処理部により画像処理された画像データを前記画像記憶部から読み出して出力画像データを生成する出力画像データ生成部とを含む画像処理システムと、前記画像処理システムを制御するシステム制御部を備えている画像処理装置であって、
前記システム制御部は、前記画像読取部から得られる原稿サイズ情報に基づいて原稿が定形サイズよりも小さいか否かを判別し、原稿のサイズが定形サイズよりも小さいと判別したときに、定形サイズに対して不足する画像データの副走査方向サイズまたは主走査方向サイズが判別可能なデータを前記画像記憶部に記憶し、
前記出力画像データ生成部は、前記副走査方向サイズまたは主走査方向サイズが判別可能なデータに基づいて、前記画像記憶部から読み出した画像処理後の画像データにダミーデータを付加して定形サイズの出力画像データを生成する画像処理装置。
【請求項２】
前記画像処理部は、画像データを副走査方向に所定のライン数で設定されるバンド単位に分割して画像処理を行なうように構成され、前記システム制御部は、原稿のサイズが定形サイズよりも小さいと判別したときに、最終バンドの画像データに当該バンドで不足する副走査方向のサイズを補うダミーデータを付加した後に、定形サイズに対して不足する画像データの副走査方向サイズまたは主走査方向サイズを前記画像記憶部に記憶する請求項1記載の画像処理装置。
【請求項３】
前記出力画像データ生成部により生成された定形サイズの出力画像データから所定形式の圧縮画像ファイルを生成するファイル生成部を備えている請求項１または２記載の画像処理装置。
【請求項４】
前記画像処理後の画像データをプリントする画像形成部をさらに備え、前記出力画像データ生成部は、ダミーデータを付加することなく前記画像処理後の画像データを前記画像形成部に出力する請求項３記載の画像処理装置。
【発明の詳細な説明】
【技術分野】
【０００１】
本発明は、原稿搬送機構により副走査方向に搬送される原稿を主走査方向に沿って読み取る画像読取部と、前記原稿読取部で読み取られた画像データを記憶する画像記憶部と、前記画像記憶部に格納された画像データを読み出して所定の画像処理を施して前記画像記憶部に記憶する画像処理部と、前記画像処理部により画像処理された画像データを前記画像記憶部から読み出して出力画像データを生成する出力画像データ生成部とを含む画像処理システムと、前記画像処理システムを制御するシステム制御部を備えている画像処理装置に関する。
【背景技術】
【０００２】
従来、スキャナなどの画像読取部で原稿から読み取った原稿画像の画像データをメモリに蓄積し、当該画像データを所定容量ずつメモリから読み出して画像処理して出力画像データを生成し、当該出力画像データに基づいて画像を出力するように設計された画像処理装置が存在する。当該画像処理装置では、メモリに蓄積した画像データの再利用や画像処理の進捗に依存しない画像データの読み込みが可能であることから、画像データの高速な画像処理が可能である。
【０００３】
当該画像形成装置は、所定原稿サイズに対応するページメモリを有しており、原稿サイズに応じて予め設定した当該ページメモリの一または複数に、画像読取部で読み取った画像データを格納する。そのため、原稿サイズによって、原稿に対して設定したページメモリのうち、当該原稿の画像データの格納に利用されない領域が生じ、メモリ資源を有効利用する上で改善の余地があった。
【０００４】
そこで、特許文献１には、メモリの使用効率を向上させることができる画像処理装置の一例である画像形成装置が開示されている。当該画像形成装置は、原稿上の画像をディジタル的に読み取る読み取り手段と、前記読み取り手段により読み取られた画像データを記憶するための記憶手段と、前記読み取り手段により読み取られた原稿の主走査方向の幅を検知する原稿幅検知手段と、前記読み取り手段により読み取られた原稿の副走査方向の長さを検知する原稿長検知手段と、前記原稿長検知手段により検知された原稿長の間、前記記憶手段の書き込みラインをカウントする書き込みラインカウント手段と、前記書き込みラインカウント手段のカウント値に基づいて前記記憶手段に対して書き込みアドレスを発生する書き込みアドレス発生手段と、前記書き込みアドレス発生手段に対して主走査方向の書き込みアドレスの初期値を設定する書き込みアドレス設定手段と、前記原稿幅検知手段により検知された原稿幅に基づいて前記書き込みアドレス設定手段の初期値を計算する制御手段と、を備えている。
【特許文献１】特開平６−２０９４１３号公報
【発明の開示】
【発明が解決しようとする課題】
【０００５】
画像処理装置はＡ版やＢ版などの規格化されたサイズ（以下、「定型サイズ」と記載する。）の原稿を処理するように設計されている。従って、実際の原稿サイズに関わらず、定型サイズで出力物を出力する。
【０００６】
そのため、特許文献１に開示された画像形成装置を用いる場合、定型外サイズの原稿から読み取った原稿画像の画像データに基づいて出力する出力物の画像レイアウトが、予期せぬものとなることがあった。
【０００７】
そこで、定型外サイズの原稿から読み取った原稿画像の画像データに基づいて出力する場合に、当該画像データにダミーデータを付加して、当該画像データを定型サイズの原稿から読み取った原稿画像の画像データと同様に扱うことができるようにし、且つ、当該画像データにダミーデータを付加して圧縮処理してからメモリに格納するように画像処理装置を構成すれば、メモリ資源の有効利用を図りつつ、所望のレイアウトの出力物を得ることができる。
【０００８】
しかし、上述の構成を採用した画像処理装置では、本来不要であるダミーデータを格納するためのメモリ領域が必要であり、メモリ資源を有効利用する上で更なる向上の余地がある。また、メモリに格納した画像データを読み出して画像処理し、当該画像処理後の画像データに基づいて出力する際に、ダミーデータについても画像処理が必要となるため、本来不要な処理負荷が生じ、処理効率が低下することになり好ましくない。
【０００９】
本発明の目的は、画像読取部で読み取った定型外サイズの原稿に対する画像データを圧縮処理して格納するメモリの使用効率の向上を図りつつ、メモリから読み出した画像データの処理負荷を軽減することができる画像処理装置を提供する点にある。
【課題を解決するための手段】
【００１０】
上述の目的を達成するため、本発明による画像処理装置の第一の特徴構成は、特許請求の範囲の書類の請求項１に記載した通り、原稿搬送機構により副走査方向に搬送される原稿を主走査方向に沿って読み取る画像読取部と、前記原稿読取部で読み取られた画像データを記憶する画像記憶部と、前記画像記憶部に格納された画像データを読み出して所定の画像処理を施して前記画像記憶部に記憶する画像処理部と、前記画像処理部により画像処理された画像データを前記画像記憶部から読み出して出力画像データを生成する出力画像データ生成部とを含む画像処理システムと、前記画像処理システムを制御するシステム制御部を備えている画像処理装置であって、前記システム制御部は、前記画像読取部から得られる原稿サイズ情報に基づいて原稿が定形サイズよりも小さいか否かを判別し、原稿のサイズが定形サイズよりも小さいと判別したときに、定形サイズに対して不足する画像データの副走査方向サイズまたは主走査方向サイズが判別可能なデータを前記画像記憶部に記憶し、前記出力画像データ生成部は、前記副走査方向サイズまたは主走査方向サイズが判別可能なデータに基づいて、前記画像記憶部から読み出した画像処理後の画像データにダミーデータを付加して定形サイズの出力画像データを生成する点にある。
【００１１】
出力画像データ生成部は、画像処理部で所定の画像処理が施された画像データにダミーデータを付加して、定型サイズの出力画像データを生成するので、当該ダミーデータに画像処理を施すための不要な処理負荷が生じない。また、画像記憶部は当該ダミーデータを記憶する必要がないので、画像記憶部の使用効率の低下を防止することができる。
【００１２】
同第二の特徴構成は、同請求項２に記載した通り、上述の第一の特徴構成に加えて、前記画像処理部は、画像データを副走査方向に所定のライン数で設定されるバンド単位に分割して画像処理を行なうように構成され、前記システム制御部は、原稿のサイズが定形サイズよりも小さいと判別したときに、最終バンドの画像データに当該バンドで不足する副走査方向のサイズを補うダミーデータを付加した後に、定形サイズに対して不足する画像データの副走査方向サイズまたは主走査方向サイズを前記画像記憶部に記憶する点にある。
【００１３】
画像データが所定のライン数に足りない場合、システム制御部により当該画像データに不足ライン数のダミーデータが付加されるため、画像処理部は、画像記憶部に格納された画像データを確実にバンド単位に分割して、画像処理することができる。
【００１４】
同第三の特徴構成は、同請求項３に記載した通り、上述の第一または第二の特徴構成に加えて、前記出力画像データ生成部により生成された定形サイズの出力画像データから所定形式の圧縮画像ファイルを生成するファイル生成部を備えている点にある。
【００１５】
定型外サイズの原稿から読み取った画像データを圧縮処理し、利便性の高い圧縮ファイルとして出力することができる。
【００１６】
同第四の特徴構成は、同請求項４に記載した通り、上述の第三の特徴構成に加えて、前記画像処理後の画像データをプリントする画像形成部をさらに備え、前記出力画像データ生成部は、ダミーデータを付加することなく前記画像処理後の画像データを前記画像形成部に出力する点にある。
【００１７】
プリントに用いる用紙は定型サイズであり、画像データに基づいて生成した画像の当該用紙への転写タイミングを調整することで、所望のレイアウトで当該用紙に画像を形成することができる。つまり、画像データにダミーデータを付加する処理負荷を軽減しつつ、画像記憶部の使用効率の低下を招かずに、所望のレイアウトで画像が形成された用紙を出力することができる。
【発明の効果】
【００１８】
以上説明した通り、本発明によれば、画像読取部で読み取った定型外サイズの原稿に対する画像データを圧縮処理して格納するメモリの使用効率の向上を図りつつ、メモリから読み出した画像データの処理負荷を軽減することができる画像処理装置を提供することができるようになった。
【発明を実施するための最良の形態】
【００１９】
以下に、ファクシミリ機能、コピー機能、メール機能などの複数の機能を備えた所謂複合機を用いて、本発明を適用した画像処理装置について説明する。
【００２０】
図１に示すように、本発明の画像処理装置の一例である複合機１は、マンマシンインタフェースである操作部２０と、原稿画像を読み取った画像データを入力するスキャナ３０と、スキャナ３０で読み取られた画像データを記憶するメモリ４０と、メモリ４０に格納された画像データを読み出して所定の画像処理を施してメモリ４０に記憶する画像処理部５と、画像処理部５で画像処理された画像データを用紙に出力するプリンタエンジン６０と、当該画像データをメールに添付して出力するＬＡＮ制御部７と、当該画像データをファクシミリ通信で出力するＮＣＵ（Network Control Unit）８を備えている。
【００２１】
操作部２０を制御する操作制御部２と、スキャナ３０を制御するスキャナ制御部３と、メモリ４０を制御するメモリ制御部４と、画像処理部５と、プリンタエンジン６０を制御するエンジン制御部６と、ＬＡＮ制御部７と、ＮＣＵ８と、複合機１を統括制御するシステム制御部９は、画像バス（図中の太線で示すバス）とコマンドバス（図中の太線で示すバス）を介して接続されている。
【００２２】
操作制御部２とスキャナ制御部３とメモリ制御部４とエンジン制御部６とＬＡＮ制御部７とＮＣＵ８とシステム制御部９は夫々、ＣＰＵとＣＰＵの動作プログラムが格納されたＲＯＭとＣＰＵの作業領域であるＲＡＭと周辺回路を備えた基板で構成されている。画像処理部５は画像処理用ＡＳＩＣで構成されている。
【００２３】
プリンタエンジン６０は、電子写真方式を採用し、感光体と露光装置と現像装置と転写装置と定着装置と用紙搬送機構などを備えている。露光装置は後述する出力画像データ生成部５３が生成する出力画像データに基づいて感光体をレーザ光で走査して当該感光体表面に静電潜像を形成する。現像装置は当該静電潜像をトナーで顕像化してトナー像を形成する。用紙搬送機構は露光装置による露光タイミングに基づいて用紙を搬送する。転写装置は形成されたトナー画像を用紙搬送機構によって搬送された用紙の所定の位置に転写する。定着装置は転写されたトナー画像を熱定着により用紙に定着する。
【００２４】
ＬＡＮ制御部７は所定のプロトコルに基づいて出力画像データをメールに添付して送信するメーラを備えている。また、ＮＣＵ８は公衆回線と接続され、所定のプロトコルに基づいて出力画像データを符号化してファクシミリ送信する。
【００２５】
操作部２０は、拡縮設定や濃度設定などの画像処理条件を設定するソフトウェアキーが配置された操作画面を表示する表示部２０ａと、プリント枚数などを設定する数値キーやプリント実行時などに操作するスタートキーなどのハードウェアキー２０ｂを備えている。
【００２６】
図２に示すように、スキャナ３０は、原稿搬送機構である自動原稿送り装置（Automatic Document Feeder：以下、「ＡＤＦ」と記載する。）３１と、ＡＤＦ３１から１枚ずつ搬送された原稿から原稿画像を読み取り、当該原稿画像の画像データを生成して入力する画像読取装置３２を備えている。画像読取装置３２は本発明の画像読取部である。
【００２７】
ＡＤＦ３１は、画像読取装置３２で表面画像が読み取られた原稿の裏面画像を画像読取装置３２で再度自動的に読み取ることができるように、当該表面画像が読み取られた原稿の天地を反転する反転機構（不図示）と、原稿幅サイズに応じてスライドし、原稿の幅方向（主走査方向）の位置を固定する原稿ガイド３４を備えている。また、原稿ガイド３４のスライド量に応じて原稿幅（原稿の主走査方向のサイズ）を検出する原稿幅センサ３５と、原稿搬送系路上を搬送される原稿の有無を検出する原稿センサ３６を備えている。
【００２８】
画像読取装置３２は、縮小光学系を採用し、ＡＤＦ３１により副走査方向に搬送される原稿を主走査方向に沿って読み取るように構成されている。画像読取装置３２では、光源３２０が画像を読み取る原稿を照らし、複数のミラー３２１及び集光レンズ３２２が原稿からの反射光をＣＣＤセンサ３２３に導き、ＣＣＤセンサ３２３が当該反射光の光量に基づいて原稿画像を読み取り、画像データを生成する。当該画像データは、Ａ／Ｄ変換されてデジタルデータに変換された後、シェーディング補正・ライン補正され、ＤＭＡ転送でメモリ４０に格納される。
【００２９】
画像読取装置３２は、原稿幅センサ３５及び原稿センサ３６の出力信号に基づいて原稿搬送機構を搬送される原稿の原稿サイズ情報を取得する。原稿幅センサ３５の出力信号に基づいて、主走査方向の原稿サイズを取得し、搬送経路を搬送される原稿の先端及び後端を検出した際に原稿センサ３６から入力される割り込み信号に基づいて原稿先端が検出されてから原稿後端が検出されるまでの時間を計測し、当該時間と原稿搬送速度の積から副走査方向の原稿サイズを取得する。そして、当該取得した主走査方向及び副走査方向の原稿サイズを示す原稿サイズ情報に基づいて、過不足なく原稿画像の画像データを読み取るのである。
【００３０】
図３（ａ）、図３（ｂ）に示すように、画像読取装置３２は、ＡＤＦ３１から搬送された原稿の画像を搬送方向に向かって原稿の左上から所定のライン数ずつ原稿画像を読み取る。上述のように、反転機構で反転された原稿は、反転前と天地を逆にしてＡＤＦ３１から搬送されるので、原稿の先頭から表面画像を読み取れるようにＡＤＦ３１に原稿をセットした場合、図３（ａ）に示すように、表面画像の画像データは原稿の左上から順に読み取られ、図３（ｂ）に示すように、裏面画像の画像データは原稿の右下から順に読み取られる。
【００３１】
図４に示すように、画像処理部５は、スキャナ３０から入力された画像データをバッファリングするバッファ５０と、複数の画像処理回路を備えている。当該複数の画像処理回路には、例えば、バッファ５０にバッファリングした画像データを圧縮してメモリ４０に格納する圧縮部５１、圧縮画像データ（圧縮部により圧縮された画像データ）をメモリ４０から読み出して伸張する伸張部５２、画像サイズを変更する変倍処理部、画像を回転する回転処理部、画像のエッジ強調などを行なうフィルタ処理部などがある。
【００３２】
複合機１では、バッファ５０にバッファリングした画像データをメモリ４０に格納する際、圧縮部５１が当該画像データを圧縮して格納するように構成され、メモリ４０の利用効率の向上が図られている。
【００３３】
画像処理部５は、画像処理部５で画像処理した画像データをメモリ４０から読み出して出力画像データを生成する出力画像データ生成部５３を備えている。出力画像データ生成部５３は画像処理回路の一つで構成されている。
【００３４】
システム制御部９は、操作部２０で設定された画像処理条件に基づいて、画像処理部５で当該画像処理条件に基づく画像処理を実行する画像処理回路を選択して設定する。
【００３５】
画像処理部５は、操作部２０で設定された画像処理条件に基づいてシステム制御部９が選択した画像処理回路を、画像データを処理する画像処理回路に設定する。設定された画像処理回路は、バッファ５０にバッファリングされた画像データまたは伸張部５２により伸張された画像データを画像処理した後、ＤＭＡ転送でメモリ４０に書き込む。
【００３６】
つまり、上述のように、複合機１は、スキャナ３０とメモリ４０と画像処理部５と出力画像データ生成部５３を含む本発明の画像処理システム１０と、画像処理システム１０を制御するシステム制御部９を備えている。
【００３７】
システム制御部９は、スキャナ３０で読み取られた画像データをメモリ４０に格納する際、当該画像データに関連付けて当該画像データの付加情報を記憶する。当該付加情報は、当該画像データの、先頭アドレスと末尾アドレスとライン数と主走査方向画素数と画像処理条件と当該画像データの原稿を特定するデータを含んでいる。なお、ライン数はバッファ５０に備えられたラインカウンタでカウントされ、当該カウント値がシステム制御部９に入力される。
【００３８】
ここで、システム制御部９は、スキャナ３０から得られる原稿サイズ情報に基づいて原稿が定形サイズよりも小さいか否かを判別し、原稿のサイズが定形サイズよりも小さいと判別したときに、定形サイズに対して不足する画像データの副走査方向サイズまたは主走査方向サイズが判別可能なデータ（以下、「不足情報」と記載する。）をメモリ４０に記憶するように構成されている。不足情報は、主走査方向については画素数で、副走査方向についてはライン数で夫々示され、付加情報に含めてメモリ４０に記憶される。
【００３９】
システム制御部９は、スキャナ３０から入力された原稿サイズ情報に基づいて、当該原稿サイズ情報の示す原稿サイズ以上で且つ最小サイズの定型サイズを、当該原稿サイズ情報の原稿に対する定型サイズに設定する。そして、当該原稿の実際の原稿サイズが、当該設定した定型サイズと一致しないときに、当該原稿のサイズが定型サイズよりも小さいと判別する。
【００４０】
出力画像データ生成部５３は、不足情報に基づいて、メモリ４０から読み出した画像処理後の画像データにダミーデータを付加して定形サイズの出力画像データを生成する。
【００４１】
出力画像データ生成部５３は、メモリ４０から付加情報を読み出して、当該付加情報に含まれる不足情報を参照して、設定した定形サイズに対して不足する画像データであるダミーデータを生成して、当該ダミーデータを画像処理後の画像データに付加する。なお、ダミーデータは、当該画像処理後の画像データの地肌色のデータで生成される。
【００４２】
ここで、上述のように、原稿の表裏面画像を画像読取装置３２で読み取る場合、図３（ａ）に示すように、表面画像の画像データは、原稿の左上から順に読み取られてメモリ４０に格納される。一方、図３（ｂ）に示すように、裏面画像の画像データは、原稿の右下から順に読み取られてメモリ４０に格納される。なお、図３（ａ）、図３（ｂ）でハッチングされた領域は、定型外サイズの原稿の表裏面画像の画像データに対する、当該画像データに対して設定した定型サイズの画像データに不足する領域を示している。
【００４３】
出力画像データ生成部５３は、例えば、図３（ａ）に示す表面画像の画像データに対して当該画像データの末尾に不足するライン数のダミーデータを付加し、図３（ｂ）に示す裏面画像の画像データに対して当該画像データの先頭に不足するライン数のダミーデータを付加する。
【００４４】
原稿の左上から読み取られた原稿表面画像の画像データには、出力画像データ生成部５３によってダミーデータが下部に付加されるので、当該画像データは定型サイズの画像データの上部に位置する。また、原稿の右下から読み取られた当該裏面画像の画像データにもまた、出力画像データ生成部５３によってダミーデータが上部に付加されるので当該画像データも定型サイズの画像データの上部に位置する。
【００４５】
画像処理後の画像データの主走査方向サイズが定型サイズの画像データの主走査方向サイズより小さい場合（例えば、原稿の主走査方向サイズが元々小さい場合や、画像処理回路で回転処理して原稿の主走査方向サイズが小さくなった場合など）も同様に、出力画像データ生成部５３は、原稿の表裏面画像の画像データの画像処理後の画像データが、当該画像データに対して設定された定型サイズの画像データの同一の領域に配置されるように、当該画像データの右側または左側にダミーデータを付加する。
【００４６】
上述のように、出力画像データ生成部５３は、同一の原稿から読み取った表裏面の画像データ（画像処理後の画像データ）が、当該画像データに対して設定された定型サイズの画像データの同一の領域に配置されるようにダミーデータを付加するように構成されている。
【００４７】
スキャナ３０で読み取られた画像データに基づいてプリントするとき、プリンタエンジン６０は、出力画像データに基づいて露光装置を介して感光体を露光走査して静電潜像を形成し、当該静電潜像を顕像化したトナー像を設定した定型サイズの用紙に転写・熱定着し、当該用紙を出力する。従って、複合機１からは、定型サイズの用紙の所定の位置に正しくトナー像が転写・熱定着された用紙が出力される。
【００４８】
スキャナ３０で読み取られた画像データをメールに添付して送信するとき、ＬＡＮ制御部７に備えられたメーラは、利便性・汎用性を向上させるため、定型サイズに加工された出力画像データをメールに添付して送信する。
【００４９】
ここで、画像処理部５は、出力画像データ生成部５３により生成された定形サイズの出力画像データから所定形式の圧縮画像ファイルを生成するファイル生成部５４を備えている。ファイル生成部５４は画像処理回路の一つである。
【００５０】
そこで、メーラは、ネットワーク負荷軽減や送受信時間短縮などのため、ファイル生成部５４で生成された圧縮画像データを出力画像データとしてメールに添付して送信する。
【００５１】
なお、ファイル生成部５４が生成する圧縮画像ファイルの形式は、当該ファイルを受信する側で利用することができる形式であればどのようなものであってもよいが、一般的に、ＰＤＦ、ＪＰＥＧ、ＴＩＦＦなど汎用性の高いファイル形式が採用される。
【００５２】
一方、スキャナ３０で読み取られた画像データをファクシミリ送信するとき、複合機１は、バッファ５０にバッファリングされた画像データを、メモリ４０に格納することなく画像処理部５で画像処理した後、画像処理回路の一つであるコーデック部でエンコードしてＮＣＵ８を介して送信する。画像データが定型外サイズの原稿から読み取ったものであっても、ファクシミリ送信では通信費を削減するため、不要なデータであるダミーデータを当該画像データに付加することなく当該画像データをエンコードして送信するのである。
【００５３】
ところで、画像処理部５は、画像データを副走査方向に所定のライン数で設定されるバンド単位に分割して画像処理を行なうように構成されている。そのため、画像データのライン数が不足して、バンド単位の画像データを形成することができない場合がある。
【００５４】
そこで、システム制御部９は、原稿のサイズが定形サイズよりも小さいと判別したときに、最終バンドの画像データに当該バンドで不足する副走査方向のサイズを補うダミーデータを付加した後に、定型サイズに対して不足する画像データの副走査方向サイズまたは主走査方向サイズをメモリ４０に記憶するように構成されている。
【００５５】
システム制御部９は、ラインカウンタから入力される最終ライン数に基づいて、最終バンドの画像データに当該バンドで不足する副走査方向のサイズを補うダミーデータを生成し、バッファ５０にバッファリングされている当該画像データの末尾に当該ダミーデータを付加して最終バンドの画像データを形成する。当該画像データは圧縮部５１により圧縮処理されてメモリ４０に格納される。
【００５６】
そして、原稿サイズ情報に基づいて設定した定型サイズに対して不足する画像データ（付加したダミーデータを含まない画像データ）の副走査方向サイズまたは主走査方向サイズを求め、これらのサイズをメモリ４０に記憶する。
【００５７】
以下、スキャナ３０で読み取られた画像データをメモリ４０に格納する際の画像処理システム１０の動作について、図５に示すフローチャートを用いて説明する。
【００５８】
ＡＤＦ３１に原稿がセットされ、操作部２０でコピーまたはメール送信を実行する際に操作するキーが操作され、スタートキーが操作されると（ＳＡ１）、原稿幅センサ３５の出力信号に基づいてシステム制御部９により、原稿主走査方向サイズ（原稿幅）がスキャナ３０に設定される（ＳＡ２）。
【００５９】
原稿センサ３６で、原稿先端が検出されてから所定時間経過後、画像読取装置３２は、原稿画像の読み取りを開始する。画像読取装置３２により当該原稿主走査方向サイズで所定ライン数ずつ原稿画像から読み取られた画像データは（ＳＡ３）、バッファ５０にバッファリングされる。
【００６０】
原稿後端が検出されずに（ＳＡ５）、バッファ５０にバンド単位の画像データがバッファリングされていなければ（ＳＡ１１）、ステップＳＡ３からの動作が繰り返される。原稿後端が検出されずに（ＳＡ５）、バッファ５０にバンド単位の画像データがバッファリングされると（ＳＡ１１）、圧縮部５１は、バッファ５０からバンド単位の画像データを読み出し、圧縮してメモリ４０に格納する（ＳＡ１２）。以後、ステップＳＡ３からの動作が繰り返される。
【００６１】
原稿後端が検出されると（ＳＡ５）、システム制御部９は、スキャナ３０から原稿サイズ情報を取得し、バッファ５０にバッファリングされている画像データのライン数（最終ライン数）をラインカウンタから取得する（ＳＡ６）。画像データがバンド単位に達していなければ（ＳＡ７）、当該画像データに不足ライン数のダミーデータを付加する（ＳＡ８）。
【００６２】
圧縮部５１は、バッファ５０にバッファリングされた画像データ（ダミーデータが付加されている場合にはダミーデータとともに）を圧縮してメモリ４０に格納し（ＳＡ８）、システム制御部９は、当該画像データに関連付けて付加情報（当該画像データの原稿が定型外サイズであれば当該付加情報には不足情報が含まれる）をメモリ４０に格納する（ＳＡ９）。
【００６３】
ＡＤＦ３１に載置された原稿の全てから画像データの読み取りが完了していなければ（ＳＡ１０）、ステップＳＡ３からの動作が繰り返され、完了すれば（ＳＡ１０）、画像データのメモリ４０への格納動作は終了する。
【００６４】
以下、メモリ４０に格納された画像データを出力する際の画像処理システムの動作について、図６に示すフローチャートを用いて説明する。
【００６５】
伸張部５２は、メモリ４０に格納された画像データをバンド単位で読み出し（ＳＢ１）、伸張処理して下段の画像処理回路に出力する。各画像処理回路は当該画像データに対して夫々の画像処理を施す（ＳＢ２）。
【００６６】
当該画像データに関連付けられた付加情報に不足情報が含まれていなければ（ＳＢ３）、出力画像データ生成部５３は、当該画像データから出力画像データを生成する（ＳＢ５）。不足情報が含まれていれば（ＳＢ３）、出力画像データ生成部５３は、当該不足情報に基づいてダミーデータを生成し、当該ダミーデータを画像データに付加して（ＳＢ４）、出力画像データを生成する（ＳＢ５）。
【００６７】
出力画像データの出力先がメーラである場合（ＳＢ６）、ファイル生成部５４は、出力画像データから所定形式の圧縮画像ファイルを生成して（ＳＢ７）、メーラに出力する。出力先がプリンタエンジン６０であれば（ＳＢ６）、出力画像データはそのまま出力される。
【００６８】
メモリ４０に格納された全ての画像データの出力が完了していなければ（ＳＢ８）、ステップＳＢ１からの動作が繰り返され、完了すれば（ＳＢ８）、メモリ４０からの画像データの出力動作は終了する。
【００６９】
以下に、別実施形態について説明する。
【００７０】
上述の実施形態では、出力画像データ生成部５３は、複合機１に備えられた画像形成部であるプリンタエンジン６０に対して、画像処理後の画像データにダミーデータを付加して生成した出力画像データを出力するものとしたが、ダミーデータが付加されていない画像処理後の画像データに基づいて生成した出力画像データをプリンタエンジン６０に出力するものであってもよい。
【００７１】
この場合、出力画像データ生成部５３は、ダミーデータを付加したときの出力画像データに基づいてプリンタエンジン６０でプリントした際と同様の出力結果を得ることができるように、出力画像データのプリンタエンジン６０への出力タイミングを調整するように構成される。
【００７２】
例えば、ダミーデータが先頭に付加された画像データの出力画像データで出力した際と同様の出力結果を得るために、ダミーデータを付加したときと同様の位置に、画像データに対応する画像が用紙に転写されるように、出力画像データの出力タイミングを遅らせるのである。これによって、露光装置による感光体の露光タイミングが同様の出力結果が得られるようなタイミングに調整される。
【００７３】
なお、出力画像データ生成部５３は、出力画像データの出力タイミングをプリンタエンジン６０に事前に通知することで、ダミーデータを付加したときの出力画像データに基づいてプリンタエンジン６０でプリントした際と同様の出力結果を得ることができるように調整するものであってもよい。この場合、事前に通知された出力画像データの出力タイミングに基づいて、エンジン制御部６は、用紙の搬送タイミングを調整するため、当該同様の出力結果を得ることができる。
【００７４】
上述の実施形態では、複合機１はファイル生成部５４を備えているものとしたが、ファイル生成部５４を備えていなくてもよい。
【００７５】
上述の実施形態では、本発明の画像処理装置について複合機１を用いて説明を行ったが、本発明は複合機以外の画像処理装置にも採用することができる。つまり、スキャナ、複写機、パーソナルコンピュータなどの画像処理装置に対しても採用可能である。
【００７６】
なお、上述した実施形態は何れも本発明の一実施例に過ぎず、当該記載により本発明の範囲が限定されるものではなく、各部の具体的構成は本発明による作用効果を奏する範囲において適宜変更設計することができる。
【図面の簡単な説明】
【００７７】
【図１】複合機の機能ブロック図
【図２】スキャナの説明図
【図３】（ａ）は原稿表面画像に対する画像データの説明図、（ｂ）は原稿表面画像に対する画像データの説明図
【図４】本発明に関する主要機能ブロック図
【図５】画像処理システムによるメモリへの画像データ格納動作を説明するフローチャート
【図６】画像処理システムによるメモリからの画像データ出力動作を説明するフローチャート
【符号の説明】
【００７８】
１：画像処理装置（複合機）
５：画像処理部
９：システム制御部
１０：画像処理システム
２０：操作部
３０：画像読取部（スキャナ）
４０：画像記憶部（メモリ）
５０：バッファ
５１：圧縮部
５２：伸張部
５３：出力画像データ生成部
５４：ファイル生成部
【図１】
2010074633.tif 000003
【図２】
2010074633.tif 000004
【図３】
2010074633.tif 000005
【図４】
2010074633.tif 000006
【図５】
2010074633.tif 000007
【図６】
2010074633.tif 000008